(57)【特許請求の範囲】
【請求項１】
携帯可能な筐体本体と、
前記本体に内蔵され、本体内の各電子部品に電源を供給するバッテリと、
放送局から送信された放送波を受信し、映像データを提供するチューナと、
前記映像データを記録するためのメモリカードが装着可能なカードスロットと、
前記カードスロットに装着されたメモリカードに、前記映像データを記録する記録手段と、
前記メモリカードに記録された映像データを再生し出力する映像出力手段と、
前記チューナから提供される映像データを前記メモリカードに記録中、電源が遮断状態となったか判断する手段と、
前記電源が遮断状態となった場合、バックアップ電源を装置内の各部に供給する供給手段と、
前記供給手段により電源が供給されている際に、記録された映像データの最後にＥＮＤ情報を付加する付加手段と、
前記付加手段により前記ＥＮＤ情報が付加された後、前記供給手段によるバックアップ電源の供給を停止する停止手段、
を具備することを特徴とする映像記録再生装置。
【請求項２】
前記チューナから提供される映像データを記録するハードディスクドライブを更に具備し、前記チューナから提供される映像データを前記ハードディスクドライブに記録中に前記電源が遮断状態となった場合、前記供給手段、付加手段、停止手段により、前記ハードディスクドライブに記録された映像データの最後にＥＮＤ情報が付加された後、バックアップ電源の供給が停止されることを特徴とする請求項１記載の映像記録再生装置。
【請求項３】
前記電源の遮断状態は、装置の電源スイッチが操作されるか、又は前記バッテリの充電量が所定レベルを下回った状態を含むことを特徴とする請求項２記載の映像記録再生装置。
【発明の詳細な説明】
【０００１】
【発明の属する技術分野】
この発明は動画像を記録再生する装置に関し、特に携帯型の電子機器に関する。
【０００２】
【従来の技術】
手で持ちやすく、操作も容易な携帯型記録装置として音声情報記録装置が特開平１０−１１１９１７号公報に開示されている。この公報による携帯型音声情報記録装置は、本体の正面部にスピーカ開口孔、ＬＣＤ表示部、ＥＬＡＳＥ／ＦＯＲＭＡＴ釦等を、背面部にメモりカード着脱部用蓋を、上面部にマイクロホン用開口孔、ＬＥＤ等を、右側面部に録音釦等の操作釦を、下面部に電池蓋をそれぞれ配設し、装置外装体である本体の正面部面積をできるだけ小さくまとめ、片手でホールドしやすく、また、操作釦も操作がやり易い位置に配設されている。このような従来の携帯型音声情報記録装置は、片手で操作が可能であるので、簡単に録音を開始することが可能で、会議などの音声を記録することに適している。
【０００３】
【発明が解決しようとする課題】
従来、携帯型の音声又は静止画の記録装置は存在したが、このような記録装置では、動画像を記録することができない。従って、外出先などで、このような携帯型記録装置を利用する場合には、動画像を撮影することができずに、別途デジタルカメラなどを用意して撮影する必要があった。デジタルビデオカメラはビデオテープあるいは光ディスクを記録媒体として使用するので、必然的にサイズが大きくなる。
【０００５】
本発明は、従来の携帯型の音声記録装置と同様に小型で、動画像を記録再生することができる動画像記録再生装置を提供することを目的としている。
【０００７】
【課題を解決するための手段】
本発明による映像記録再生装置は、携帯可能な筐体本体と、前記本体に内蔵され、本体内の各電子部品に電源を供給するバッテリと、放送局から送信された放送波を受信し、映像データを提供するチューナと、前記映像データを記録するためのメモリカードが装着可能なカードスロットと、前記カードスロットに装着されたメモリカードに、前記映像データを記録する記録手段と、前記メモリカードに記録された映像データを再生し出力する映像出力手段と、前記チューナから提供される映像データを前記メモリカードに記録中、電源が遮断状態となったか判断する手段と、前記電源が遮断状態となった場合、バックアップ電源を装置内の各部に供給する供給手段と、前記供給手段により電源が供給されている際に、記録された映像データの最後にＥＮＤ情報を付加する付加手段と、前記付加手段により前記ＥＮＤ情報が付加された後、前記供給手段によるバックアップ電源の供給を停止する停止手段とを具備する。
【０００９】
【発明の実施の形態】
以下、図面を参照しながら本発明の実施の形態について詳細に説明する。
【００１０】
図１は本発明の第１の実施形態に係る携帯型音声動画像記録再生装置（以下、携帯型録画機と記す）１ａの外観を示している。カメラモジュール６は軸ａを中心として回転する。２は動画記録用の録画・録音ボタン、３は音声のみ記録する場合の録音ボタン、４は静止画を撮像するためのシャッターボタンである。
【００１１】
携帯型録画機１ａはカメラモジュール６を用いて動画、静止画を撮像し、マイクＭＩＣを用いて音声を録音し、動画、静止画及び音声情報を、録画機１ａに挿入されたメモリカード７に記録する。また携帯型録画機１ａは動画又は静止画情報をメモリカード７から読出し、ＬＣＤ１２に表示し、音声情報をメモリカード７から読出しスピーカＳＰから音声を出力する。携帯型録画機１ａはスーツの胸ポケットに容易に入るサイズで、定期券入れと重ねて胸ポケットへ収納することもできる。
【００１２】
図２は携帯型録画機１ａの概略構成を示すブロック図である。ＣＰＵ１０はＲＯＭ１１に格納された本発明を含むプログラムを実行し、ＲＡＭ１１をワークエリアとして使用する。キーボタン２１は図１の録画・録音ボタン２、録音ボタン３、シャッターボタン４を含む。ＣＰＵ１０はキーボタン２１から得られるユーザ入力情報に従って、装置内の各部を制御する。
【００１３】
ＮＴＳＣデコーダ１６はチューナあるいはＶＴＲ等から受信される映像信号を処理し、デジタルの映像データを出力する。この映像データは圧縮・伸長部１７によりＭＰＥＧ圧縮され、カードＩ／Ｆ１８を介してＳＤメモリーカード（コピープロテクト機能を持ったメモリカード）７に記録される。
【００１４】
レンズ１３を介して被写体の映像がＣＣＤ１４の受光面に結像し、ＣＣＤ１４は映像信号を出力する。この映像信号は動画又は静止画である。ＣＣＤ信号処理部１５はＣＣＤ１４からの映像信号を処理し、デジタルの映像データを出力する。レンズ１３、ＣＣＤ１４、ＣＣＤ信号処理部１５のカメラ部としては小型カメラモジュール（ＣＩＦカメラ）を用いることができる。映像データは圧縮・伸長部１７により例えばＭＰＥＧ４で圧縮され、カードＩ／Ｆ１８を介してＳＤメモリーカード７に記録される。圧縮・伸長部１７は例えばＭＰＥＧ４コーデックを含む。ＳＤメモリカード７は、容量が例えば１２８ＭＢの場合、ＳＰモードで２時間の動画録画が可能である。この場合、フレームレートは１５フレーム／秒程度である。
【００１５】
マイクＭＩＣにより収録された音声はアンプ３０により増幅され、Ａ／Ｄ変換器３１によりＡ／Ｄ変換され、デジタルの音声データが圧縮・伸長部１７により圧縮され、ＳＤメモリカード７に記録される。録音時間はＳＤメモリカードの容量が例えば１２８ＭＢの場合、３５時間４０分程度である。
【００１６】
ＳＤメモリカード７に記録された映像データはカードＩ／Ｆ１８を介して圧縮・伸長部１７に供給され、圧縮・伸長部１７により伸長され、ＬＣＤ１２により表示される。ＬＣＤ１２はバックライト又はフロントライト付きの例えば２インチＬＣＤであり、分解能は例えば１６０×１２０ピクセルである。
【００１７】
ＳＤメモリカード７に記録された音声データはカードＩ／Ｆ１８を介して圧縮・伸長部１７に供給され、圧縮・伸長部１７により伸長され、Ｄ／Ａ変換器３２によりＤ／Ａ変換され、アンプ３４によって増幅された後、スピーカ３４により音声出力される。
【００１８】
電源制御部２１はバッテリ２４の充電量が許容値以下となった場合、それをＣＰＵ１０に知らせ、ＣＰＵ１０はＬＣＤ１２に充電量不足であることをＬＣＤ１２に表示する。ディスクＩ／Ｆ１９にはＨＤＤを接続することができ、長時間録画が可能となる。
【００１９】
従来の携帯型ビデオカメラは、動画像を記録した後、音声のみを記録する場合、モードを変更してから記録開始ボタンを押して、記録が開始するが、本発明の場合、直接録音ボタン３を押すことにより録音が開始される。更に、シャッターボタン４を直接押すことにより静止画を記録できる。
【００２０】
本発明の携帯型録画機１ａの利用形態としては、セミナー、カンファレンスでの映像記録、展示会視察時の映像記録、会議での音声記録等が挙げられる。更に携帯型録画機１ａはＳＤメモリカードに記録した英会話等の教材映像、あるいはＶＴＲ等に録画したが見る時間の無いテレビ番組等を、車内等任意の場所で視聴することもできる。
【００２１】
図３は図１の携帯型録画機１ａの変形例を示す。この携帯型録画機１ｂは録画・録音ボタン２、録音ボタン３、シャッターボタン４がＬＣＤと同様に装置正面に設けられている。カメラ部６ａは軸ｂを中心として回転する。
【００２２】
次に本発明の第２の実施形態を説明する。図４は本発明の第２の実施形態に係る携帯型録画機１ｃの構造を示す図である。この携帯型録画機１ｃは携帯型録画機１ａに比べ、ＴＶチューナー２７及びＨＤＤ２８を具備し、カメラ及びマイクに関する要素を含んでいない。
【００２３】
図５は携帯型録画機１ｃの概略構成を示すブロック図である。チューナ２７は放送局から送信された放送波を受信し、ＮＴＳＣ方式映像信号をＮＴＳＣデコーダ１６に供給する。ＮＴＳＣデコーダ１６以降の動作は図２の第１の実施形態と同様である。ＨＤＤ２８は１０ＧＢ程度の容量を有し、ＭＰＥＧ４形式データ（圧縮された動画）を録画する。録画再生の動作は図２の第１の実施形態と同様である。
【００２４】
従来技術では、ＨＤＤに録画した映像ファイルの最後に、「ＥＮＤ信号」を与えることにより、再生可能な大きさのファイル単位での録画を行っていた。しかし、この方式では、電源遮断などの理由で、再生可能な大きさのファイルの途中まで録画された動画データは、「ＥＮＤ信号」が付加されないため、ゴミと判断され、再生不可であった。本実施形態は、電源が遮断された場合でも、録画された動画データを再生可能にするものである。
【００２５】
図６はＳＤメモリカード７又はＨＤＤ２８の記憶領域を再生可能範囲に分けた図、図７は電源が遮断された場合の本実施形態に係る動作を示すフローチャートである。
【００２６】
動画像を記録中、電源ボタン３７が押されるか、又はバッテリ２４の充電量が所定レベルを下回り、電源が遮断状態となると、電源制御部２１はスイッチ２５をＯＮし、バックアップ用電源（コンデンサ２６）を装置に供給すると共に、ＣＰＵ１０に対してＰＯＷＥＲ  ＤＯＷＮ信号を送る。ＣＰＵ１０はこの信号により電源が遮断状態であることを検知し（ＳＴ１）、録画途中の動画データの最後に「ＥＮＤ信号」を付加して該動画データを記録する。図６はその様子を示している。Ｆ１〜Ｆ４は各映像ファイル（番組）、Ｒ１〜Ｒ４は各映像ファイルの範囲を示す。各プログラムの終わりにはＥＮＤ信号８が書込まれている。Ｆ１〜Ｆ３は正常に終了したファイル（例えば終了ボタンがユーザにより押され、録画が正常に終了したファイル）である。Ｆ４は録画途中で電源が遮断された場合に書込まれた「ＥＮＤ信号」である。ＥＮＤ信号８は再生可能範囲の終わりを示す。
【００２７】
このようにＥＮＤ信号を書込むことにより、ＳＤカード７又はＨＤＤ２８に途中まで記録されたプログラムファイルはクローズする（ＳＴ３）。再生時、ＥＮＤ信号８が付いている動画データは、再生可能な１つのファイルと見なされるので電源遮断が発生した録画途中の動画データも、再生可能となる。
【００２８】
ＣＰＵ１０はＥＮＤ信号８の書き込みを終えると、ＰＯＷＥＲ  ＯＦＦ信号を電源制御部２１に送る。ＰＯＷＥＲ  ＯＦＦ信号を受信した電源制御部２１はスイッチ２５をＯＦＦし、装置の電源供給が遮断される。
【００２９】
このように、従来方式では再生出来なかった途中で切れた動画データにＥＮＤ信号を付けることで再生可能な形式での録画が可能となる。
【００３０】
次に本発明の第３の実施形態を説明する。
【００３１】
従来の動画記録再生装置では、ＨＤＤあるいはＤＶＤ−ＲＡＭ等の光ディスクを用いているために、そこにコピーした動画情報を携帯機器で再生することができない。本実施例は、ＨＤＤやＤＶＤＲＡＭなどを扱う大容量の据え置き型装置から、カードなどの小さな装置へデータを移動して、携帯型の録再機器で動画、音声を再生することを目的とする。
【００３２】
図８はＴＶチューナ２７ａ及びＨＤＤ２８ａを含むを内蔵した本実施例に係る据え置き型の録画機２の構造を示す図である。録画機２の構成は図４の装置と同様である。録画機２は例えばＴＶ放送の番組をチューナ２７ａで受信し、番組の動画像データをＨＤＤ２８ａにＭＰＥＧ圧縮して記録する。ＨＤＤ２８ａに記録された動画像データは選択的にメモリカード７に複写される。図９は図８の録画機２によってＳＤメモリカード７に複写された動画像を再生する携帯型再生機の外観図である。この携帯型再生機としては図１の携帯型録画機１ａを使用できる。
【００３３】
従来、ＴＶやラインインからのビデオ信号をデジタル録画する際にはＨＤＤを用いる。ＨＤＤにＭＰＥＧ２でエンコードされたデータを書き込み、ビデオタイトル（番組）の録画を行う。そのタイトルを複写保存する際にはタイトルの一部を切り出す処理を行い、その当該部分のデータをＤＶＤ−ＲＡＭなどの光ディスクへ複写を行う。保存された動画データを再生する際には、そのディスクを装置に挿入して再生処理を行う。しかしながら光ディスクは、携帯するには大きく駆動する消費電力も大きいので、携帯装置での再生に不向きであるという欠点があった。
【００３４】
本実施形態では、ＴＶやラインインからのビデオ信号をデジタル録画する際にＨＤＤ２８ａを用い、該ＨＤＤにＭＰＥＧ２と同等あるいは低いビットレートでビデオ信号と音声信号をエンコードされたデータとして書き込む。具体的にはＭＰＥＧ４の１Ｍｂｐｓ以下でエンコードを行い、３０Ｇ以上のＨＤＤ２８ａに該エンコードされたデータを記録する。録画機２はエンコードモードを複数サポートし、最低ビットレートでは２００時間以上録画を行うことができ、１週間以上連続録画を行える装置である。
【００３５】
そのタイトルを複写する際には、ＨＤＤ２８ａよりカード型のメモリ７にデータを複写して、データの保存を行う。データの複写は、タイトル単位で行い、ディレクトリ情報やタイトルの属性情報などタイトルに関するすべてのデータの複写を行う。そのために、メモリカード７はカードであってもＨＤＤと同じ情報を得ることができる。メモリカードの駆動は携帯機器で行うことが可能であるので、カードスロット２９と情報の伸長装置をもつ携帯型再生機１ｄでそのデータを再生することで、どこでも動画を再生することが可能になる。
【００３６】
このように、大容量メディアに１週間以上の動画を蓄積しておいて、携帯できる装置に使用されるメディアにデータをコピーして動画を再生することができる。万が一、週に１回放映してある番組を１週間以内に見ることができなくても、大容量メディアに残っている。
【００３７】
本実施形態の変形例として、カードに動画データを複写する場合に、ＨＤＤ２８ａと異なるフォーマットでカードに書き込み、他の装置との互換性を保つような処理を行うことも可能である。例えば、電話機能を持つ携帯端末では、独自のフォーマットを用いていることが多い。このような携帯端末で再生が行えるようにするには、この携帯端末のデータフォーマットに合わせてデータを記録する必要がある。ただし、圧縮方式の変換に時間がかかる場合が多いので、圧縮方式は変えずにフォーマットの変換のみを行う。即ち、各データの配置変換のみを行う。このようにしてタイプの異なる複数の装置に対応できるフォーマットのデータが作成される。
【００３８】
更に、複写する時間を短縮するためには、ＴＶから録画を行う際にＨＤＤ２８ａとカードに同時にデータを書き込む。この処理を行うと録画が終了した時には、カードにデータをコピーする作業をせずにカードのデータを利用することが可能となる。即ち、録画が終了したら、直ちにメモリカードを取り出して、携帯型の装置で再生することができる。
【００３９】
本実施形態では、複数のビデオ録画設定を重なった時間で行うことが可能になる。また、回転するＨＤＤ２８ａには高ビットレートで録画を行い、回転しないメモリカード７には低ビットレートで録画を行うことが可能になる。
【００４０】
更に他の変形例として、異なる入力からの映像・音声信号を個別に圧縮処理を行い、異なるメディアに書き込むことで、複数のチャンネルの録画が可能になる。図１０はチューナ２７ａから得られる動画像をエンコード処理部１７ａでＭＰＥＧ圧縮してＨＤＤ２８ａに記録し、外部入力３５から得られる動画像をメモリカード７にＭＰＥＧ圧縮して記録する例を示す。
【００４１】
次に本発明の第４の実施形態を説明する。
【００４２】
本実施形態では、ソース（動画ファイル）が入ってるＨＤＤ等の記憶媒体、あるいはコピー先媒体のＳＤカードなどのメモリカード等に予めどの部分をコピーするかの情報を与えておく。この方式を用いることで、コピーの自動化をする。
【００４３】
例えば、録画機２が長時間録画をしている時、新聞あるいは雑誌、携帯電話機等で見たい番組を発見した場合、ユーザは録画機２あるいはＰＣ、携帯電話、ＰＤＡなどにメモリカードを挿入し、予約操作を行う。
【００４４】
図１１は予約ファイルを記録媒体に作成する処理を示すフローチャートである。装置は先ずＬＣＤ等に番組予約用画面を表示する。ユーザはＳＤカード等のメモリカードを装置に挿入し（ＳＴ４）、番組の開始、終了時間を入れたり、番組を表すコードを予約情報として入力する。ユーザにより入力された予約情報に基づいて、装置は予約ファイルを作成し（ＳＴ５）、該予約ファイルをメモリカードに書き込む（ＳＴ６）。この際、予めどのチャンネルのどの時間を録画機２が録画しているかという情報が、カードに書き込んである。もし、書き込まれていない場合には、携帯電話などで装置に問い合わせ確認する。
【００４５】
図１２は録画機２の予約設定動作を示すフローチャートである。録画機２はメモリカード７等の外部メディアが挿入されたことを検知すると（ＳＴ７）、挿入されたメディアに予約ファイルが記録されているか否か判断する（ＳＴ８）。予約ファイルが記録されている場合、録画機２は予約ファイルを解釈して予約情報を装置に設定する（ＳＴ９）。この後、録画機２は予約情報に対応する動画像データをＨＤＤ２８ａからメモリカード７に複写する。これによって、ユーザがメモリカードをスロット２９に挿入した時、ＨＤＤ２８ａからメモリカード７へ自動的にコピーが開始する。このようにして、ＨＤＤあるいはメモリカードにコピーする情報を与えることで自動的にコピーを開始することができる。
【００４６】
【発明の効果】
従来の携帯型の音声記録装置と同様に小型で、動画像を記録再生することができる動画像記録再生装置を提供する。
【図面の簡単な説明】
【図１】本発明の第１の実施形態に係る携帯型録画機１ａの外観を示す図。
【図２】携帯型録画機１ａの概略構成を示すブロック図。
【図３】図１の携帯型録画機１ａの変形例を示す図。
【図４】本発明の第２の実施形態に係る携帯型録画機１ｃの構造を示す図。
【図５】携帯型録画機１ｃの概略構成を示すブロック図。
【図６】ＳＤメモリカード７又はＨＤＤ２８の記憶領域を再生可能範囲に分けた図。
【図７】電源が遮断された場合の本実施形態に係る動作を示すフローチャート。
【図８】本実施例に係る据え置き型の録画機２の構造を示す図。
【図９】図８の録画機２によってメモリカード７に複写された動画像を再生する携帯型再生機の外観図。
【図１０】異なる入力からの映像・音声信号を個別に圧縮処理を行う様子を示す図。
【図１１】本発明の予約ファイルを記録媒体に作成する処理を示すフローチャート。
【図１２】本発明の予約設定動作を示すフローチャート。
【図１】
0003637315.tif 000002
【図２】
0003637315.tif 000003
【図３】
0003637315.tif 000004
【図４】
0003637315.tif 000005
【図５】
0003637315.tif 000006
【図６】
0003637315.tif 000007
【図７】
0003637315.tif 000008
【図８】
0003637315.tif 000009
【図９】
0003637315.tif 000010
【図１０】
0003637315.tif 000011
【図１１】
0003637315.tif 000012
【図１２】
0003637315.tif 000013